(57)【要約】リアルタイムの荷物の追跡のためのシステムは、荷物データを収集し記憶することができる携帯用のデータ取込み装置、このデータ取込み装置は無線と少なくとも一つのデータ入力装置を含む、データ記憶装置とドッキング装置通信無線を含むドッキング装置、および無線で直接にデータ取込み装置からまたはドッキング装置通信無線でドッキング装置から収集され記憶されたデータを受け取ることができるメインフレーム・データ保管庫を含む。データ取込み装置は、スタイラスを使って入力されるデータを受け取ることができ、かつデータ取込み装置のまわりの複数の視点および固定された位置からデータを見ることができるようにデータを切り替えられる向きに表示することができるディスプレイ画面を含む。ディスプレイ画面は、タッチ画面ディスプレイで受け取られたデータを表示する改良された方法を持つタッチ画面ディスプレイを含む。【選択図】図４
2004503454.tif 000002
【特許請求の範囲】
【請求項１】
無線通信部と少なくとも一つのデータ入力装置を含む、荷物データを収集して記憶することができるデータ取込み装置と、
データ記憶装置とドッキング装置の通信無線通信部を含むドッキング装置であって、ここにデータ取込み装置はドッキング装置と連携させられており、データ取込み装置は赤外線通信ポートでドッキング装置と通信し、収集され記憶されている荷物データをデータ取込み装置からドッキング装置に送信するドッキング装置と、
収集され記憶されている荷物データを、無線通信によりデータ取込み装置から直接に、またはドッキング装置通信無線によりドッキング装置から受信することができる、収集され記憶されている荷物データを含む荷物データベースを維持するメインフレーム・データ保管庫と、
を含む、荷物追跡システム。
【請求項２】
少なくとも一つのデータ入力装置がタッチ画面である、請求項１記載の荷物追跡システム。
【請求項３】
タッチ画面がスタイラスを使って入力されるサインを受け入れることができるサイン取込み要素を含む、請求項２記載の荷物追跡システム。
【請求項４】
タッチ画面がサインが行われている間にサインを表示することができる、請求項３記載の荷物追跡システム。
【請求項５】
タッチ画面がサインが終わった後にそのサインを上下の向きを逆にすることができる、請求項４記載の荷物追跡システム。
【請求項６】
タッチ画面がＬＣＤディスプレイを含む、請求項３記載の荷物追跡システム。
【請求項７】
ドッキング装置が配達車の中にある、請求項１記載の荷物追跡システム。
【請求項８】
データ取込み装置がさらにデータ取込み装置の内部に完全に収容されかつ無線通信部と電気的に接続されている無線アンテナを含む、請求項１記載の荷物追跡システム。
【請求項９】
データ取込み装置からメインフレーム・データ保管庫に情報を送信するためのパケット・データ無線ネットワークをさらに含む、請求項１記載の荷物追跡システム。
【請求項１０】
無線通信がそれによりデータ取込み装置が無線通信される情報を受信することができる双方向無線である、請求項１記載の荷物追跡システム。
【請求項１１】
少なくとも一つのデータ入力装置が複数のキーを含むキーボードであり、かつ複数のキーのうちの少なくとも一つがそれに関係づけられた複数の機能を持つ、請求項１記載の荷物追跡システム。
【請求項１２】
データ取込み装置がタッチ画面を含み、複数のキーのうちの少なくとも一つに対応する複数の機能うちの少なくとも一つの機能がそのタッチ画面に表示される、請求項１１記載の荷物追跡システム。
【請求項１３】
データ取込み装置が音響モデムをさらに含む、請求項１１記載の荷物追跡システム。
【請求項１４】
荷物データをメインフレーム・データ保管庫に送信するためにデータ取込み装置をそこにドッキングさせることができる基地局をさらに含む、請求項１記載の荷物追跡システム。
【請求項１５】
基地局がセル方式の通信ネットワークでメインフレーム・データ保管庫と通信する、請求項１記載の荷物追跡システム。
【請求項１６】
データ取込み装置がメモリを含み、そのメモリが収集された荷物データを記憶し、そしてデータ取込み装置からメインフレーム・データ保管庫に直接に送信された収集データがメインフレーム・データ保管庫に直接には送信されない収集データから見分けることができる、請求項１記載の荷物追跡システム。
【請求項１７】
荷物追跡データを装置内に入力するための、少なくとも一つのデータ入力装置と、
装置内に入力された荷物追跡データを記憶するためのメモリと、
記憶された荷物追跡データを直接に遠隔のメインフレーム・データ保管庫に送信するための無線通信部と、
記憶された荷物追跡データの遠隔のメインフレーム・データ保管庫へのパケット・データ無線ネットワークによる送信を容易にするアンテナと、
を含む、荷物追跡データを取り込んで記憶するための携帯式データ取込み装置。
【請求項１８】
少なくとも一つのデータ入力装置がＬＣＤとスタイラスを使って入力されるサインを受け取るサイン取込み機能の両方を持つ、請求項１７記載のデータ取込み装置。
【請求項１９】
画面が、サインが行われている間に画面にそのサインをディジタル的に再生するサイン取込み機能を含む、請求項１８記載のデータ取込み装置。
【請求項２０】
ディジタル的に再生されたサインをそのサインが行われた後に画面上にディジタル的に再現されたサインに対して上下を逆にするようにディジタル的に再生されたサインを垂直方向に反転するサイン反転要素をさらに含む、請求項１９記載のデータ取込み装置。
【請求項２１】
荷物データがディジタル化された顧客のサインを含む、請求項１７記載のデータ取込み装置。
【請求項２２】
荷物データが荷物の配達の完了を表すデータを含む、請求項１７記載のデータ取込み装置。
【請求項２３】
少なくとも一つのデータ入力装置がバーコード・スキャナである、請求項１７記載のデータ取込み装置。
【請求項２４】
少なくとも一つのデータ入力装置がバーコード・スキャナである、請求項１７記載のデータ取込み装置。
【請求項２５】
少なくとも一つのデータ入力装置が複数のキーを含むキーボードであり、かつ複数のキーのうちの少なくとも一つがそれに関係づけられた複数の機能を持つ、請求項１７記載のデータ取込み装置。
【請求項２６】
データ取込み装置がタッチ画面を含み、複数のキーのうちの少なくとも一つに対応する複数の機能うちの少なくとも一つの機能がそのタッチ画面に表示される、請求項２５記載のデータ取込み装置。
【請求項２７】
（ａ）ディジタル的に生成される点がＬＣＤタッチ画面上に表示されるか否かを決定するために使われる平均閾値を設定するステップと、
（ｂ）タッチ画面装置上のスタイラスの点位置を表す座標を取り込む、ここにスタイラスの点位置はスタイラスがＬＣＤタッチ画面に押しつけられているときにスタイラスからＬＣＤタッチ画面への圧力の印加によって決定されるステップと、
（ｃ）取り込まれた座標値をスライディング・キューに入れるステップと、
（ｄ）取り込まれたキューに入れられた座標値の数が平均閾値に等しくなるまでステップ（ｂ）と（ｃ）を繰り返すステップと、
（ｅ）キーに入れられた座標値の平均を計算するステップと、
（ｆ）タッチ画面装置上のスタイラスの次の点位置を表す座標値を取り込むステップと、
（ｇ）次の点位置の座標値を計算されたキーに入れられた座標値の平均と比較するステップと、
（ｈ）次の点位置の座標値が計算された平均から予め決められた許容範囲内であるとき、ＬＣＤタッチ画面に次の点位置を表示するステップと、
を含む、ＬＣＤタッチ画面に顧客のサインを画面上にそのサインが行われている間に再生する方法。
【請求項２８】
少なくとも一つの点位置を表すディジタル的に生成された点をＬＣＤタッチ画面に表示するステップの前に、少なくとも一つの点位置に対応する座標値をＬＣＤの座標値に変換するステップをさらに含む、請求項２７記載の方法。
【請求項２９】
ディジタル的に生成された点をＬＣＤタッチ画面に表示したステップの後に、最も古い取り込まれた座標値をスライディング・キューから削除するステップをさらに含む、請求項２７記載の方法。
【請求項３０】
スライディング・キューが先入れ先出し（ＦＩＦＯ）キューである、請求項２７記載の方法。
【請求項３１】
好ましいキーボードを読む向きを持つキーボードを備えた装置に対する２人の異なる人からのデータ入力を容易にするための方法であって、
Ａ）前記装置が前記好ましいキーボードを読む向きに向けられている間の前記第１の人による前記装置へのデータの入力のステップと、
Ｂ）前記第１の人が前記第２の人に向かっている間における前記第１の人から前記第２の人への、前記装置が前記第１の人に対しては前記好ましいキーボードを読む向きに向けられたままであるが前記第２の人に対しては前記好ましいキーボードを読む向きからほぼ１８０度に向けられるように、前記装置を差し出すステップと、
Ｃ）前記装置が前記第２の人に対して前記好ましい読む向きからほぼ１８０度に向けられたままである間における前記第２の人によるデータの入力するステップであって、ここに前記データに対応するデータの表示が、前記第２の人に対しては好ましいデータの表示を読む向きに向けられるが、前記第１の人に対しては好ましい読む向きからほぼ１８０度に向けられて、与えられるステップと、
Ｄ）前記第１の人が前記第２の人に向かっている間における、前記装置が前記第１の人に対して前記好ましいデータの表示を読む向きに向けられているが、前記第２の人に対しては前記好ましいデータの表示を読む向きからほぼ１８０度に向けられているままでの、前記第２の人から前記第１の人へ前記装置を差し戻すステップと、
Ｅ）前記装置は前記第１の人に対して前記好ましい読む向きに向けられたまま、前記第１の人が前記データをステップ「Ｃ」においてそれが前記第２の人によって見られるのと実質上同じ向きで見ることができるように、前記データの表示がそれにより前記第１の人に対して好ましいデータを読む向きに向けられるように、前記データの表示を前記装置のそれ以外の部分に対する向きの変更を行うステップと、
を含む方法。
【請求項３２】
前記第２の人による前記データ入力がスタイラスで行われる、請求項３１記載の方法。
【請求項３３】
好ましい読む向きを持つキーボードを備えた装置に対する２人の異なる人からのデータ入力を容易にするための方法であって、
Ａ）前記装置が前記好ましいキーボードを読む向きに向けられている間における前記第１の人による前記装置へのデータの入力のステップと、
Ｂ）前記第１の人が前記第２の人に向いている状態における前記第１の人から前記第２の人への、前記装置が前記第１の人に対しては前記好ましいキーボードを読む向きに向けられたままであるが前記第２の人に対しては前記好ましいキーボードを読む向きからほぼ１８０度に向けられるように、前記装置を差し出すステップと、
Ｃ）前記装置が前記第２の人に対して前記好ましい読む向きからほぼ１８０度に向けられたままである間における前記第２の人によるサインの入力、ここに前記サインに対応するサインの表示が、前記第２の人に対しては好ましいサインを読む向きに向けられているが前記第１の人に対しては好ましい読む向きからほぼ１８０度に向けられて、与えられるステップと、
Ｄ）前記第１の人が前記第２の人に向いている状態における前記第２の人から前記第１の人への、前記装置が前記第１の人に対して前記好ましいサインを読む向きに向けられているが、前記第２の人に対しては前記好ましいサインを読む向きからほぼ１８０度に向けられているままでの、前記装置の差し戻すステップと、
Ｅ）前記装置は前記第１の人に対して前記好ましい読む向きに向けられたまま、前記第１の人が前記サインの表示をそれが前記第２の人によって入力されたのと実質上同じ向きで見ることができるように前記サインの表示がそれにより前記第１の人に対して好ましいデータを読む向きに向けられるべく、前記サインの表示を前記装置のそれ以外の部分に対して向きを変えるステップと、
を含む方法。
【請求項３４】
ステップ「Ｃ」がサインの取込み機能を備えたタッチ画面の使用を含む、請求項３３記載の方法。
【請求項３５】
無線通信機能を備えたデータ取込み装置と送信システムを使って荷物データを追跡する方法であって、
データ取込み装置を使って荷物追跡データを収集し記憶するステップと、
収集され記憶された荷物追跡データの少なくとも幾らかを直接にメインフレーム・データ保管庫にパケット・データ無線ネットワークを通じて送信するステップと、
送られてきた収集され記憶された荷物追跡データに基づいてメインフレーム・データ保管庫内にアクセス可能な荷物追跡データベースを維持する、ここに荷物追跡データベースはメインフレーム・データ保管庫によって受信された、送られてきた収集され記憶された荷物追跡データを格納するステップと、
前記荷物追跡データベース内に格納されている前記荷物追跡データを、コンピュータ・ネットワークを通じてメインフレーム・データ保管庫と通信するコンピュータによりアクセス可能にするステップと、
を含む方法。
【請求項３６】
データ取込み装置がスタイラスを使って入力されたサインを受け取ることができるサイン取込み要素を持つタッチ画面を含む、請求項３５記載の方法。
【請求項３７】
タッチ画面がサインをそのサインが行われている間に表示する、請求項３６記載の方法。
【請求項３８】
データ取込み装置がパケット・データ無線ネットワークを通じて無線通信を受信する、請求項３６記載の方法。
【請求項３９】
ディスプレイの画面がディスプレイの２つの側にいる人にデータを表示することができ、かつ各人によるデータの見え方が同じであるような、ディスプレイの画面にデータを表示する方法であって、
ディスプレイの画面にデータを表示する、ここにデータはディスプレイの画面に関して第１の向きであり、データが第１の向きのときは第１の人によって見られることができるステップと、
ディスプレイの画面にデータを再生するための命令を受け取る、ここにデータの再生はデータがディスプレイの画面に関して第２の向きでありデータが第２の向きのとき第２の人によって見られることができるようにデータを再生成するステップと、
を含み、
データの第１の向きはデータの第２の向きから１８０度であり、
ディスプレイの対向する側にいて互いに向き合っている人が、ディスプレイの画面に関し位置を変えずに、同じ見え方で交互にデータを見ることができる方法。
【請求項４０】
タッチ画面ディスプレイであるディスプレイの画面を使ってデータを生成するステップをさらに含む、請求項３９記載の方法。
【発明の詳細な説明】
【０００１】
発明の分野
本発明は、リアルタイムの荷物追跡システムおよび方法、および多様なインタフェイスを通して情報を取り込み、取り込まれた情報を離れた場所から中央のコンピュータに送るように構成された携帯可能な手持ち式の装置に関する。この装置とその利用方法は、とりわけ小包の配達や追跡の分野において役に立つ。一つの実施の形態では、本発明の装置は、ユナイテッド・パーセル・サービスによって現在使われている配達情報取込み装置（ＤＩＡＤ）の改良点を組み入れている。
【０００２】
発明の背景
日常の荷物配達サービスにおいて、ユナイテッド・パーセル・サービス（ＵＰＳ）の配達ドライバは、ＤＩＡＤ装置を使ってデータを得ている。ＤＩＡＤは、ドライバにより書かれる書類に取って代わり、出荷情報を直接にＵＰＳの追跡システムに送信する電子クリップボードである。ＤＩＡＤは電子的に配達情報を記録するので、一年間に数百万枚の紙を不要にし、かつＵＰＳが一つの主な接触点において、受取人への引き渡しの直後にデータおよび電子サインを取り込むことを可能にする。現在では、６０，０００以上の配達員がＤＩＡＤ装置を使っている。
【０００３】
ディジタルの受取人のサインを取り込むために、このＤＩＡＤ装置はＬＣＤディスプレイとスタイラスからの入力を受け取る別個のサイン取込みウィンドウを含む。顧客がスタイラスを使って取込みウィンドウ内にサインしたとき、そのサインがＬＣＤディスプレイ内に現れる。ディジタル化された受取人のサインのＤＩＡＤによる取込みは、これらのサインが配達の証明のために電子的に利用できることを可能にする。サインは、顧客サービス代理人や顧客によってアクセス可能なメインフレームにダウンロードされる。したがって、安全な接続で（例えばインターネットを通じて）ＵＰＳに電子的に接続されている企業顧客は、問い合わせをしてきた顧客にそれらを渡すことができるように、そのディジタル化されたサインにアクセスする。同様に、顧客が荷物が配達されなかったと主張するとき、顧客（または顧客サービス代理人）は、その状態、具体的には、その荷物が配達されたかどうか、そしてもし配達されているなら誰がそれに対してサインしたのか判断することができる。
【０００４】
典型的な配達においては、ドライバは、ＤＩＡＤ装置に組み込まれたまたは取り付けられたレーザ・スキャナを使って配達されるべき荷物を確認する。このようにして、ＤＩＡＤはそのメモリにバーコードが付けられた荷物からデータを取り込む。配達直後にＤＩＡＤによって集められる追加のデータも、キーによる入力、バーコードのスキャンによる取込み、および電子的なデータ転送を使って取り込まれる。ひとたび収集されると、荷物追跡情報は、ドライバが彼または彼女の車に戻ってＤＩＡＤをその配達車内の配達車アダプタ（ＤＶＡ）に挿入すると、リアルタイムでメインフレーム・ベースの荷物追跡システムに転送される。アダプタ（ＤＶＡ）は、無線ネットワークを通じてＵＰＳのホスト・システムにデータを送信するためにドライバがその中にＤＩＡＤを挿入する、車に搭載された受け台である。このアダプタは、ＤＩＡＤと車載のデータ無線装置、すなわち全国的なセル方式のネットワークを通じてメインフレーム・コンピュータと通信できる携帯電話モデムとの間の通信リンクを提供する。ひとたび受信されると、その情報は、顧客に提供される追跡情報が最新に保たれかつインターネットまたは電話コールイン・センタを通じて顧客に利用可能であるようにするために使用される。ＤＩＡＤはまたドライバが長い時間車から離れるであろうときに追跡情報が送信できるようにするための、通常の電話に対する音響リンクを備えている。
【０００５】
ＤＩＡＤは有益であったが、リアルタイムの荷物の追跡のためのツールとしてのその有効性を制約するいくつかの特性によって制限されている。第１に、前述したように、ＤＩＡＤは、ＬＣＤディスプレイとスタイラスからの入力を受け入れる別個のサイン取込みウィンドウを含む。顧客がスタイラスを使って取込みウィンドウ内にサインしたとき、そのサインがＬＣＤディスプレイ内に現れる。しかしながら、顧客のサインは顧客がサインを行っている間はサイン取込みウィンドウ内に現れない。したがって、スタイラスを使ってサイン取込みウィンドウにサインすることは、見えないインクを使ってサインすることに等しい。顧客のなかには彼らのサインが別のところに現れることに違和感を持ったり、彼らの書く結果がスタイラスの下に直ちに現れるのを見ないでサインすることが困難である人々がいる。さらに、サイン取込み装置のタッチ・パネルは電気抵抗を持つ材料で作られることができるので、サインをする人によって加えられる圧力の変動により、サインの画像の品質を低下させ、またはスタイラスの書き跡の再生を不正確にする偽電圧が発生する可能性がある。例えば、人がこのような装置からスタイラスを持ち上げると、その圧力の解除が書かれた線として誤解される可能性がある。この問題を解決するための以前の試みは、例えば画面を圧力に対して構造的に低感度にする、それはまた正確さを低下させる、ことを含んだ。したがって、より良い品質のサインの表示、およびスタイラスが画面上を動くときのスタイラスの動きとその図形表示との間のより良い追跡に対する要求が存在する。
【０００６】
第２に、顧客のサインを得るためにＤＩＡＤを使うとき、ドライバはＤＩＡＤ装置を顧客に手渡しかつ顧客が正しい向きにサインできるようにそれを逆向きにしなければならない。顧客がサインした後、ドライバは、装置を返してもらい、サイン見そして顧客の名前をキーで入力するためにそれを回して元の向きに戻す。すなわち、ドライバと顧客は共に同じ方向からＤＩＡＤを見る。この目的のための装置の手渡しと取り扱いは、時間がかかり、また装置が落とされて壊れる可能性が増大する。さらに、顧客が装置を操作するので、顧客がドライバによる訂正を必要とするＤＩＡＤ上の一つまたはそれ以上のボタンを意図せずに押すかもしれない可能性がある。
【０００７】
第３に、ＤＩＡＤは全国的なセル方式のネットワークを通じてメインフレーム・コンピュータと通信できるが、これは、ＤＩＡＤが、ＤＩＡＤと車に装備されたデータ無線装置、すなわちメインフレーム・コンピュータと通信可能な携帯電話モデム、との間の通信リンクを提供する車載のアダプタに挿入されることを必要とする。それに代わるものとして、ＤＩＡＤは、ドライバが長い時間車から離れるであろうときに追跡情報の送信を可能にするために、通常の電話に対する音響リンクを備えている。しかしながら、これは、ドライバが比較的低速の音響リンクを使って情報を送りながら貴重な時間を費やすことを要求する。したがって、荷物の配達後すぐにＤＩＡＤ装置が車載アダプタに入れられない場合には、荷物の配達を行った後リアルタイムに近い時間でメインフレーム・コンピュータと高速に通信する手段が無い。さらに、データがＤＩＡＤからメインフレームに転送されることができる間に、ＤＩＡＤがデータを受信することを可能にする双方向通信機能が無い。この機能はＤＩＡＤ内に記憶されている情報を更新するとき、または車を離れている配達員と通信するときに便利であろう。
【０００８】
必要とされている物は、サインが書かれつつあるときにサインをディジタル的に表示する改良されたサイン取込み画面、顧客のサインをもらっている間にドライバがＤＩＡＤの支配を保ち続けることを可能にする改良されたサイン取込み画面、およびＤＩＡＤがＤＶＡにドッキングされていないときに発送データをメインフレームに送信するための内蔵のセルラ・アンテナを含む改良されたＤＩＡＤである。
【０００９】
発明の概要
本発明は、リアルタイムの荷物の追跡を可能にする、改良されたデータ取込みシステム、装置および方法である。本発明の一実施の形態によれば、荷物追跡データを収集し記憶することができる、無線通信部と少なくとも一つの入力装置を含む携帯可能なデータ取込み装置と、データ記憶装置およびドッキング装置通信無線を含むドッキング装置を含む、荷物追跡システムとが開示されている。データ取込み装置はドッキング装置に一緒に働き、データ取込み装置は赤外線通信ポートでドッキング装置と通信し、またデータ取込み装置は収集され記憶された荷物データをデータ取込み装置からドッキング装置に送信する。この追跡システムはさらにメインフレーム・データ保管庫を含む。メインフレーム・データ保管庫は、無線通信で直接にデータ取込み装置からまたはドッキング装置の通信無線によりドッキング装置からどちらかでも収集され記憶された荷物データを受信することでき、そしてメインフレーム・データ保管庫は収集され記憶された荷物データを含む荷物データベースを維持する。
【００１０】
本発明の一面によれば、少なくとも一つの入力装置がタッチ画面を含む。本発明のもう一つの面によれば、このタッチ画面はスタイラスを使って入力されるサインを受け取ることができるサイン取込み要素を含み、そしてタッチ画面はサインをそのサインが行われている間に表示することができる。本発明のさらに別の一面によれば、タッチ画面はＬＣＤディスプレイを含み、サインが終わった後にサインの向きを上下逆にすることができる。
【００１１】
データ取込み装置はさらに無線通信部と電気的に接続されている無線通信部のアンテナを含み、この無線通信のアンテナは完全にデータ取込み装置の内部に収容されている。追跡システムはまたデータ取込み装置からメインフレーム・データ保管庫に情報を送信するためのパケット・データ無線ネットワークを含んでもよい。さらに、無線通信部は、データ取込み装置が無線通信を受信することができる双方向無線機であってもよい。
【００１２】
本発明のさらに別の面によれば、少なくとも一つの入力装置が複数のキーを含むキーボードであり、複数のキーのうちの少なくとも一つがそれに割り当てられた複数の機能を持つ。さらに、データ取込み装置はタッチ画面を含むことができ、複数のキーのうちの少なくとも一つに対応する複数の機能のうちの少なくとも一つの機能がタッチ画面に表示される。
【００１３】
本発明のさらに他の面によれば、データ取込み装置が音響モデムを含み、そしてドッキング装置が配達車の中におかれていてもよい。追跡システムはまた、データ取込み装置がその日の終わりにそこでドッキング装置に接続される基地局を含んでもよい。基地局はＰＳＴＮまたはインターネットのような通信ネットワークによりメインフレーム・データ保管庫と通信できることが好ましい。本発明の別の面によれば、データ取込み装置はメモリを含む。このメモリは収集された荷物データを記憶する、そしてデータ取込み装置からメインフレーム・データ保管庫に直接に送信された収集データはメインフレーム・データ保管庫に直接に送信されない収集データから識別されることができる。
【００１４】
本発明の一実施の形態によれば、手持ち式のデータ取込み装置が開示される。本発明の手持ち式のデータ取込み装置は、丈夫で使い易い装置であることに加えて、より効率的な取込みと情報の遠隔転送を可能にする特徴の独自の組合せを含む。大まかに言えば、これらの特徴は、キーパッド、シンボル・スキャナ、およびサイン取込み、および遠隔コンピュータへのデータの送信のための基板に組み込みのデータ無線を含む。一つの好ましい構成では、この装置はまた車載のアダプタを介した通信のための赤外線データ・リンク、音響データ・リンク、装置に覆われるラベルを照明するための照明器、燐光性のメンブレイン・キーボード、ディスプレイ中の複数行のプログラム可能な「ソフトキー」、およびサイン取込み機能の主ディスプレイ画面への組込みを含む。これらの構成要素は、丸みをつけられ、ゴムで覆われた端縁部と、落とされても損傷をできるかぎり小さくするための内側周辺の緩衝区域を持つ、取り扱いを容易にするために中央部がくびれた形状にされたケース内に収容されている。他の特徴はこの出願の他の部分で説明されている。
【００１５】
データ取込み装置は、荷物追跡データをデータ取込み装置に入力するための少なくとも一つのデータ入力装置、データ取込み装置に入力された荷物追跡データを記憶するためのメモリ、記憶された荷物追跡データを直接に遠隔のメインフレーム・データ保管庫に送信する無線通信部、および記憶された荷物追跡データの遠隔のメインフレーム・データ保管庫へのパケット・データ無線ネットワークによる送信を容易にし、少なくとも一部分が気泡ゴム部材に埋め込まれた第１の金属の細長材とその気泡ゴム部材の表面の第２の金属の細長材を含むアンテナを有する。
【００１６】
本発明の一つの面にしたがって、アンテナは全体がデータ取込み装置の内部に収容されている。このアンテナの第２の金属の細長材は、第２の金属の細長材の少なくとも一つの別の縦方向の部分から少なくとも９０度の方向に向けられた少なくとも一つの縦方向の部分を含んでもよい。本発明のもう一つの面によれば、第２の金属の細長材は複数の金属の細長材の分節部分から成り、この複数の分節部分の少なくとも一つは少なくとも０．７５ｃｍの長さの幅方向の部分を構成する。
【００１７】
本発明のさらにもう一つの面によれば、少なくとも一つのデータ入力装置はＬＣＤおよびサイン取込み機能の両方を持つタッチ画面であり、このタッチ画面はスタイラスを使って入力されるサインを取り込む。この画面はまた、サインが行われている間にディジタル的にサインを画面に再生するサイン再生機能も含む。さらに、本発明によれば、データ取込み装置はさらに、ディジタル的に再生されたサインがそのサインが行われた後に画面にディジタル的に再生されたサインに対して上下が逆になるように、ディジタル的に再生されたサインを垂直方向に反転するサイン反転要素を含んでもよい。
【００１８】
本発明のさらにもう一つの面によれば、メインフレーム・データ保管庫に送信される荷物データは、ディジタル化された顧客のサイン、荷物の配達の完了を表すデータ、または荷物の素性を表すデータを含むことができる。さらに、本発明の一つの面によれば、少なくとも一つのデータ入力装置が、バーコード・スキャナ、または複数のキーを持ち、複数のキーのうちの少なくとも一つがそれに割り当てられた複数の機能を持つ「ソフトキー」であるキーボードでもよい。したがって、データ取込み装置はタッチ画面を含み、複数のキーのうちの少なくとも一つに対応する複数の機能のうちの少なくとも一つの機能がそのタッチ画面に表示される。
【００１９】
本発明のもう一つの実施の形態によれば、画面上でデータを上下逆にするための改良された装置および方法が開示される。この装置と方法は、データを第１の向きに表示し、次に装置の反対の側に立っている人がそのデータを見ることができるように、そのデータを１８０度反転すなわち上下を逆にすることができる。例えば、テキストまたはグラフィックスのようなデータが、その装置を取り扱っている第１の人により最初に見られるか調べられ、上下が逆にされ、それから装置の反対の側に立ち第１の人に向かっている第２の人により見られるかもしれない。第２の人が上下を逆にされたデータを見た後、データは装置を取り扱う第１の人に向くように再び向きが変えられるすなわち反転されてもよい。画面上で上下が逆になっているデータは画面により直接に受け取られたデータであってもよい。画面はサイン取込み機能を持つタッチ画面であってもよい。
【００２０】
したがって、本発明の一つの面によれば、この装置と方法は手書きのテキストを電子的に取り込んで調べることができる。これは配達時に荷物の受取人からデータを得るのに使うと都合がよい。この装置はディスプレイ上に上下逆向きのサイン書式のイメージを表示する。そのため、主ユーザ（例えば、ドライバまたは荷物の配達員）は、キーボードに面して装置を保持しつつ、別の１人が上下逆にされた書式にサインするために装置を支えることができる。サインが終了したあと、主ユーザは、装置を相手に渡したり装置の向きを変えたりすることなく、ボタンまたはキーを押すことによりサインの画像を逆転させてサインを調べることができる。ユーザは今や正しい側を上にしてサインを見ているので、サインした人の名前を速やかにキー入力することができる。
【００２１】
本発明のさらにもう一つの実施の形態によれば、サインの取込み中のスタイラスの筆跡の改良された処理を提供する装置、方法およびコンピュータ・プログラム製品が開示される。偽電圧の影響に対抗するため、本発明は、書かれたものがディスプレイのパネルに直接に書かれたものであるかのようにより強く感じさせる、スタイラスの書跡のグラフィック表示を与えるために、スライディング・フィルタを使う。その結果得られるサインの画像も改善された外観をもつ。例えば、書き手はスタイラスを上げるときに圧力を抜くので、意図されない線は表示されない。
【００２２】
本発明のさらにもう一つの実施の形態によれば、基板に組み込みのデータ無線装置を実現するための改良されたアンテナのデザインが提供される。このアンテナは、手持ち式のデータ取込み装置の内部に完全に収容され、装置のケース内を延びており、改良された形を持つ気泡ゴム部材の中に埋め込まれた細長材で終わるワイヤを含む。このアンテナは改良された全方向への均一性とアンテナ利得を持つ。基板に組み込まれたデータ無線は、双方向のテキスト・ベースの通信を可能にする。さらに、改良されたデータ取込み装置の角部の発光体は、メッセージがあるときにユーザに警告を発する。基板に組み込まれたデータ無線は、データ取込み装置に関して上に説明されたように、メインフレーム・コンピュータと通信するための従来の手段に加えて含められる。したがって、本発明の装置は、３つのことなる方法、すなわち内蔵のパケット・データ無線、トラック内のセル方式のモデムおよび通常の電話線（地上線）のための内蔵の音響カップラにより、メインフレームのデータ・センタにデータを送信することができる。３重の通信の重複性があらゆる環境におけるリアルタイムの追跡を確実にする。
【００２３】
この改良されたデータ取込み装置と方法を使うことにより、荷物が受け取られた直後に配達データがアップロードされることが可能になる。さらに、双方向無線機能はまたドライバが車から離れているときも運行管理員との接触を保つことを可能にする。
【００２４】
さらに、本発明による装置は、上述した従来のデータ取込み装置を使うと約１０秒であるのに対して、１０分の３秒で情報を送信することができる。
【００２５】
発明の詳細な説明
さて本発明の好ましい実施の形態が示されている添付の図面を参照して以下に本発明がより完全に説明される。しかしながらこの発明は多数の異なる形で実施されることができ、ここに説明されている実施の形態に限定されると解釈されるべきではない。むしろ、これらの実施の形態は、この開示が徹底的で十分であり、この分野の専門家に本発明の範囲を十分に伝えるために与えられている。全体を通して類似の数は類似の構成要素を指している。
【００２６】
図１は本発明の一実施の形態による荷物追跡システム１０を示す。荷物追跡システム１０は好ましくは携帯可能なデータ取込み装置１５、メインフレーム（汎用大型コンピュータ）のデータ保管部１６、配達車１７、電話１８、通信ネットワーク７、およびコンピュータ８および／または電話９を含む。以下に詳しく説明されるように、データ取込み装置１５は、通常は荷物の配達場所において、荷物の追跡データを収集し、その荷物追跡データを記憶し、その荷物追跡データを３つの通信方法の一つでメインフレーム・データ保管庫１６に送る。この荷物追跡データは荷物追跡データベース（図示されていない）内のメインフレーム・データ保管庫１６において受け取られて記憶される。そしてそれは通信ネットワーク７を通じてメインフレーム・データ保管庫１６と通信する一つまたは複数のコンピュータ８および電話９により顧客および／または顧客サービス代理人によってアクセスされることができる。好ましくは、通信ネットワーク７はインターネットであり、そして顧客（例えば荷送り人と受取人）および／または顧客サービス代理人は輸送中の荷物のデリバリ・ステータス（配達進行状況）を見つけて見るために、ウェッブ・ページのような一つまたはそれ以上のグラフィカル・ユーザ・インタフェイスを利用する。その代わりに、通信ネットワーク７は、コンピュータ、無線装置、および／または電話がそれらを通じてメインフレーム・データ保管庫１６にあるデータにアクセスできる一つまたは複数のＰＳＴＮ、ワイド・エリア・ネットワーク（ＷＡＮ）、ローカル・エリア・ネットワーク（ＬＡＮ）、セルラ・ネットワーク、または同種の他のものを表してもよいことは、この分野の専門家によって理解されるはずである。さらに、許可を持つ顧客サービス代理人および／または顧客は、メインフレーム・データ保管庫１６から直接荷物追跡データにアクセスしてもよい。システム１０を使い、荷物が配達員によって配達されているとき荷物の配達がリアルタイムで監視されることができる。
【００２７】
図１に示されるように、本発明のデータ取込み装置１５は、３つの異なる方法でメインフレーム・データ保管庫１６と通信していてもよい。３つの異なる方法の通信が利用できるので、荷物の追跡がすべての環境で確実に行える。第１に、本発明のデータ取込み装置１５は、配達トラック１７を介してメインフレーム・データ保管庫１６と通信することができる。この場合には、データ取込み装置１５は、収集され記憶されている荷物追跡を、通信リンク１３により配達車１７内にあるドッキング装置すなわち配達車アダプタ（ＤＶＡ）（図示されていない）に直接送信する。本発明の一面によれば、データ取込み装置１５は、データ取込み装置１５を受け入れるように構成されているＤＶＡ内に物理的に挿入される。データ取込み装置１５とＤＶＡの間の通信リンク１３は、この分野の専門家によく知られているように、赤外線通信およびデータ取込み装置１５内の赤外線通信ポートを通じて、またはデータ取込み装置１５がＤＶＡ内に挿入されているときに確立される直接通信リンクにより行われてもよい。荷物追跡データがＤＶＡに伝達された後、ＤＶＡはそのデータを無線通信リンク１４によりメインフレーム・データ保管庫１６に送信する。本発明の一面によれば、無線通信リンク１４はセルラ通信ネットワークである。しかしながら、無線通信リンク１４は、メインフレーム・データ保管庫１６と通信するために、公衆交換電話ネットワーク（ＰＳＴＮ）または他の同様のものを利用してもよい。それに加えて、図示されていないが、何かの理由でメインフレーム・データ保管庫１６が応答できないときまたはオフラインのときは、セルラ・ネットワークおよび／またはＰＳＴＮは、その荷物追跡データをデータ保管庫の役目を果たしている別の装置に向けて送る。
【００２８】
データ取込み装置１５が荷物追跡データをメインフレーム・データ保管庫１６に送る第２の方法は、従来の電話１８によってである。この実施の形態では、データ取込み装置１５は好ましくは通常の電話線を通して通信するための内蔵の音響カップラを含む。従って、通信リンク１１はデータ取込み装置１５と電話１８の間の音響通信を表す。この場合には、荷物配達員は、リンク１２として図に示されている、ＰＳＴＮによりメインフレーム・データ保管庫１６にアクセスするために、メインフレーム・データ保管庫のアクセス番号をダイアルする。メインフレーム・データ保管庫１６にダイアルした後、次にデータ取込み装置１５内のスピーカが、この分野の通常の専門家に知られているように、従来の音響モデムと類似のやり方で、音響信号によりデータ取込み装置１５からメインフレーム・データ保管庫１６に荷物追跡データが伝達されることができるように、電話１８のマイクロフォンに近づけて保持される。そうする代わりに、図示されていないが、データ取込み装置１５は、データ取込み装置１５が直接ＰＳＴＮに接続して、ＰＳＴＮにより荷物追跡データをメインフレーム・データ保管庫１６に自動的にダウンロードできるように、モデムと電話ジャックを含むこともできる。
【００２９】
データ取込み装置１５からメインフレーム・データ保管庫１６に荷物追跡を送信する第３の、そして好ましい方法は、データ取込み装置１５内の内蔵パケット・データ無線通信部を使い直接パケット・データ無線ネットワーク１９によるものである。パケット・データ無線ネットワーク１９は、荷物追跡データをメインフレーム・データ保管庫１６に送信するために一つまたは複数のＰＳＴＮ、ＬＡＮ、ＷＡＮ、または同種の他のものを利用してもよい。本発明の一面によれば、データ取込み装置１５内の内蔵パケット・データ無線通信部は、この分野の専門家によく知られているように、アーディス（Ａｒｄｉｓ）（商標）パケット・データ無線通信部である。先に説明された２つの通信方法と同様に、データ取込み装置１５は荷物追跡データを収集して記憶する。しかしながら、配達車１７およびＤＶＡにより、または従来の電話に対する音響リンクにより、荷物追跡データを間接的にメインフレーム・データ保管庫１６に送信する代わりに、荷物追跡データは、データ取込み装置１５内に受け取られ記憶された直後にメインフレーム・データ保管庫１６に直接に送信される。
【００３０】
パケット・データ無線ネットワークによる直接の通信リンクは、先に説明された２つの形の通信にまさる幾つかの利点を提供する。第１に、直接のリンクを使うことにより、荷物追跡データは、データ取込み装置１５がＤＶＡ内に置かれるか、または荷物配達員が従来の電話を見つけて初めてメインフレーム・データ保管庫１６に送信されるのとは対照的に、データ取込み装置１５により受け取られると直ぐに送信されることができる。第２に、荷物配達員が配達トラックから、そしてＤＶＡからある時間離れている（例えば一つの場所に多数の配達が必要である）場合に、メインフレーム・データ保管庫１６は、配達員が配達車に戻るか電話を見つけることを必要とするのとは対照的に、パケット・データ無線通信部を使ってリアルタイムの荷物データで連続的に更新される。第３に、配達員が「忙しく動き回り」他の仕事をしている間に情報がリアルタイムで送信されるので、直接の通信は他の２つの方法に比べて時間を節約できる。これらの利点のために、荷物追跡データをパケット無線によりメインフレーム・データ保管庫２９に送信すること、およびメインフレーム・データ保管庫２９を更新する他の２つの方法はパケット・データ無線を使いメインフレーム・データ保管庫１６を更新しようとする試みが成功しなかったときにのみ使用されることが好ましい。
【００３１】
荷物追跡データをメインフレーム・データ保管庫１６に送信するための上に説明された３つの方法は、互いに排他的である。従って、ある期間（例えば、１日、一つの配達経路など）中にデータ取込み装置１５に取り込まれた全ての荷物追跡データはデータ取込み装置１５内に記憶されているが、その荷物追跡データは上で説明された３つの通信方法の一つを使ってメインフレーム・データ保管庫２９に一度だけ送信される。データがメインフレーム・データ保管庫１６に一度より多く送信される、これは貴重なシステムの資源を浪費するのを防ぐために、荷物追跡データの成功した送信ごとに、成功裡に送信されたデータは、その荷物追跡データを送信しようとするそれ以上の試みがなされないように、データ取込み装置１５のメモリ内に成功裡に送信されたというマークが付けられる。このマークは、一つの取引または荷物に対応する特定の配達または集荷記録に関係づけられた一つのデータ構成要素を含んでもよい。
【００３２】
例えば、荷物追跡データが装置のパケット・データ無線を使ってデータ取込み装置１５から直接にメインフレーム・データ保管庫１６に送信されたとき、そのデータは、そのデータが正確に受信されたというメインフレーム・データ保管庫１６からの受領証の送信の後にマークが付けられる。その後、データ取込み装置１５がＤＶＡに挿入されたとき、パケット・データ無線により先に送信された荷物追跡データは、通信リンク１４によりメインフレーム・データ保管庫１６に送信するためにＤＶＡに移されない。同様に、例えば、荷物追跡データがパケット・データ無線によりうまく送信できないときは、データ取込み装置内に記憶されているデータは変更されていない。したがって、データ取込み装置がＤＶＡに挿入されたとき、荷物追跡データがメインフレーム・データ保管庫１６への送信のためにＤＶＡに送信される。その荷物追跡データが受信されたというメインフレーム・データ保管庫１６からの受信通知の後、ＤＶＡは、荷物追跡データがメインフレーム・データ保管庫１６に送信されたことを確認するために、データ取込み装置１５と通信する。従来の電話１８によりメインフレーム・データ保管庫１６と通信する第３の方法は、通常直接通信リンクまたは配達車１７とＤＶＡによる間接通信リンクで送信できない場合にのみ使用される。ＤＶＡが荷物追跡データの送信ができない場合は、配達員は電話を見つけて電話１８によりデータをメインフレーム・データ保管庫１６に送信しなければならないというメッセージを一つまたは複数、配達員に対して、データ取込み装置１５またはＤＶＡ上に、音声、視覚、文字、または図形メッセージで提示することもできる。
【００３３】
１日または１配達期間の全ての荷物追跡データが上に説明された３つの方法のどれかで送信された後、データ取込み装置１５は配達中心場所、通常はそのデータ取込み装置と関係づけられた配達車または配達員に関係づけられた配達中心場所に戻される。図２は、それにより荷物追跡データが第１の通信リンク２２を通じてデータ取込み装置２５から基地局２７にダウンロードされ、さらに第２の通信リンク２４を通じて基地局２７からメインフレーム・データ保管庫２９にダウンロード２４される、本発明によるシステム２０のブロック線図である。これらの通信リンクはインターネット、ＬＡＮ、ＷＡＮまたはその他を表してもよく、好ましくはいろいろなデータ取込み装置から同時にメインフレーム・データ保管庫２９へのデータのダウンロードを可能にする高速の接続である。荷物追跡情報のダウンロードの目的は、配達段階で受け入れた荷物追跡データが、メインフレーム・データ保管庫２９内に正確に集めされることを保証することである。このデータは、配達員によって配達される荷物および集荷される荷物に関する荷物追跡データを含む。本発明の一面によれば、情報のダウンロードは、上で図１を参照しつつ詳しく説明されたように、それ以前にデータ取込み装置からメインフレーム・データ保管庫に送信された全てのデータを入れ替える。したがって、図１の３つの通信方法によりダウンロードされたデータは、リアルタイムの荷物の追跡のために使われる。他方、ドッキングおよび荷物追跡データの基地局２７およびメインフレーム・データ保管庫２９へのダウンロード後の顧客または顧客サービス担当者によるどんな照会も、データ取込み装置から基地局に直接に提供された情報だけを利用する。図１におけるように、顧客または顧客サービス代理人は、通信ネットワーク２６によりメインフレーム・データ保管庫２９と通信する一つまたはそれ以上のコンピュータ２３または電話を使って、メインフレーム・データ保管庫２９にアクセスすることができる。
【００３４】
本発明の一面によれば、基地局２７を介してメインフレーム・データ保管庫２９にダウンロードされる荷物追跡データのなかには、データ取込み装置２５の基地局２７とのドッキングより前にはメインフレーム・データ保管庫２９に転送されていなかったものがあるかも知れない。例えば、かなりの帯域幅を必要とするが、即時の荷物の追跡には重要でないデータは、無線によるデータ送信の時間をできるだけ短くしようと意図において図１に示される３つの通信方法では送信されなくてもよい。無線データ送信の時間をできるかぎり短くすることにより、そうでなく長い無線データ送信がなされる場合に生じ得る不必要な無線通信のコストが削減でき、また無線送信の誤りを減らすことができる。図１の３つの通信モードにより通常送信される荷物追跡データは、荷物の識別番号すなわち番号すなわちバーコード番号、受取人、荷物がその最終の届け先に到着したかどうかのような荷物の場所を示すデータを含む。追加の荷物追跡データとして、この分野でよく知られているように、運送業者が荷物を見つけて追跡するために必要なデータと同じく、荷物の重量、発送される１揃いのグループの荷物の１部として発送される荷物の数、支払いの領収書、受取人または荷送り人のサイン（以下に詳細に説明されているように）、集荷日または配達日、受取人または荷送り人の住所などを含めることができる。通信リンク２２、２４による荷物追跡データのダウンロードは通常高速の接続により行われ、正確なそしてヒストリカルな荷物追跡記録のためにシステム２０によって使用できるので、データ取込み装置２５内に記憶されたすべての荷物追跡データは、基地局２７を経由して、メインフレーム・データ保管庫２９にダウンロードされる。例えば、配達および／または集荷の時点でもらったディジタル・サインは、たとえ、この情報が図１に示されるような荷物データ無線、ＤＶＡ、または電話と音響モデムではダウンロードされなくても、データ取込み装置２５から基地局２７への、および基地局２７からメインフレーム・データ保管庫２９への荷物追跡データの完全なダウンロードに含まれてもよい。データ取込み装置２５内に保持されている荷物追跡データは、データ取込み装置２５からメインフレーム・データ保管庫２９に送信された無線データよりも正確であるように保たれるので、基地局を介したデータのダウンロードが、先に記憶されたデータに取って代わる、すなわち優先する。システム２０は新しいデータ、すなわち先に収集された荷物追跡データとの同期エラーが存在する荷物追跡データだけをダウンロードしてもよいが、このような実現は、比較が必要とされるであろうこと、そして不一致を判断するためのどのような試みも荷物追跡データの記録の信頼性の低下につながるので好ましくない。
【００３５】
この発明の一つの面によれば、基地局２７はまた、例えばデータ取込み装置２５の再充電またはデータ取込み装置２５からのソフトウェアの更新のような、荷物データのダウンロードに関係のない一つまたはそれ以上の機能を提供してもよい。基地局２７へのダウンロードが完了した後、基地局２７は、配達されるべきさらに別の荷物に関する新しいデータがデータ取込み装置２５にダウンロードできるように、荷物追跡データをリセットするかまたはメモリから消去してもよい。
【００３６】
図３は、この発明の一実施の形態による、本発明のデータ取込み装置３０を示す。装置３０の構造は、上側ケース３１および下側ケース３２を含む。これらのケースは、比較的軽量でありながら耐久性と強度を与える硬質プラスチックまたは同様の材料で作られることが好ましい。図３に示されるように、装置３０の上側ケース３１は、キーパッド３３、画面３４、スピーカ３７、およびその中にスタイラス（またはペン）を取り出し可能に保持できるスタイラス・ホルダ３５を含む。データ取込み装置３０にはまた、把握部４０と、装置が前面から直に落ちるのを防ぐために画面の各側部から上に突出する１対の突起３９が含まれてもよい。さらに、装置３０の各等高線をつけられた側面に沿って延びるゴムの細長材が含まれてもよい。
【００３７】
本発明の一つの面によれば、キーパッド３３、画面３４およびスピーカ３７は、装置の内部にある一つまたは複数の構成要素と接触すなわち通信できるように、上側ケース３１の一つまたは複数の穴にはめ込まれている。キーパッド３３は、数字、文字、および記号（例えば、バーコードまたはバックライト・グラフィック）などの一つまたは複数のハード・キーと、それらの機能が変わるソフト・キー３８を含む。キーパッドは、配達員が、受取人の名前や住所を含む、荷物に関する実際上どんなタイプのデータでも入力することを可能にする。各ソフトキーに割り当てられた機能は、キーパッド３３上のソフトキーの場所に対応づけられて、画面３４に表示される。例えば、ソフトキーからソフトキー３８に割り当てられている機能が表示される画面３４上の場所に、一つまたは複数の、眼に見える線４１が延びている。
【００３８】
本発明の一つの面によれば、画面３４は、ＬＣＤと、スタイラスを使って入力されるサインをタッチ画面が受け取ることができるようにするためのサイン取込み機能の両方を組み込んだ多層タッチ画面である。さらに、スタイラス３６を使ってサインを行っている間にスタイラス３６の下の画面にサインがディジタル的に再現されるようにするためのサイン再生機能を含む。これらの機能は、図６〜８を参照して、以下に詳しく説明される。
【００３９】
図４は、本発明の一実施の形態に従う、データ取込み装置５１の頂部にあるストリップ・ラインのパケット・データ無線ネットワーク・アンテナを示す外部一部切取り図を含む、本発明のデータ取込み装置５１の上面図を示す。図１について先に説明したように、無線ネットワーク・アンテナ５０は、荷物追跡データがメインフレーム・データ保管庫１６に無線で送信できるように、データ取込み装置の無線通信部のメインフレーム・データ保管庫１６との通信を容易にする。このアンテナはまたデータ取込み装置がメインフレーム・データ保管庫から、または使用されていないときにデータ取込み装置がそこに所在する中心場所のように、データ取込み装置と関係する他の場所からの通信を受信することを可能にする。したがって、荷物データ無線通信部とアンテナ５０は、データ取込み装置と、データ取込み装置と関係する離れた場所との双方向のメッセージ通信を可能にする。この双方向機能は、ドライバがリアルタイムの配達指令（例えば、途中で行われるべき急ぎの集荷）を受け取りながら、同時にリアルタイムの荷物追跡情報をメインフレーム・データ保管庫に送信することができるように、最新の情報が両方向に渡されることを可能にする。
【００４０】
アンテナ５０は、アンテナ５０のどの部分もデータ取込み装置５１の上側および下側ケースによって形成される滑らかな端縁から突出しないように、データ取込み装置５１の上側および下側ケースの完全に内側に配置されている。このことは、データ取込み装置がそれが毎日毎日落とされたり振動を加えられたりする可能性のある環境によりよく耐えるであろうので、従来のアンテナに優る一つの重要な利点を与える。しかしながら、アンテナはケース内に完全に収容されているので、装置が落とされたときにひび割れたり壊れたりする可能性のある、突出する構成要素がケースに必要とされない。図に示されるように、アンテナ５０は一般的にバーコード・スキャナ５５およびタッチ画面構成要素５８より上部に配置される。アンテナ５０は気泡ゴム部材５４に埋め込まれた平らな金属の細長材５２を含む。気泡ゴム部材５４の主な目的は、もしデータ取込み装置５１が落とされても、ストリップ・ライン・アンテナ５０の完全な状態を保護することである。図示されているように、平らな金属の細長材５２は、データ取込み装置５１の幅全体に延びている。もう一つの金属の細長材５６は気泡ゴム部材５４の表面に貼り付けられ、かつ伝導体（図示されていない）によって角部５７において細長材５２に接続されている。細長材５２および５６と気泡ゴム部材５４は、アンテナ５０の全方向性能力を最大にするために特別の形状にされている。多数の方向に向けられた細長材を持つ長いアンテナを備えることにより、データ取込み装置５１の向きに係わらず十分なアンテナ利得が得られる。
【００４１】
図５Ａは、本発明の一面による、図４の荷物データ無線通信部アンテナ５０の底面斜視図である。示されているように、平らな金属の細長材５２は複数の直線の分節部分を含む。そして各分節部分は、互いに他の分節部分に対してある角度に向けられている。さらに、気泡ゴム部材５４からさらに先に位置する分節は、データ取込み装置５１の頂部に隣接する気泡ゴム部材の縦方向の部分に対して次第に増大する角をなす。それらの分節部分の長さ全体で、平らな金属の細長材５２は約９０度曲がっている。本発明の一面によれば、平らな金属の細長材５２の分節部分は、少なくとも０．７５ｃｍの長さ、そして好ましくは長さ１ｃｍの、細長材５２の長さに垂直な幅方向の部分（図５Ｂ参照）を含む。図４および５Ａに示されているように、平らな金属の細長材５２は、第２の金属の細長材の少なくとも一つの他の長さ方向の部分から少なくとも９０度の方向に向けられた少なくとも一つの長さ方向の部分を含む。アンテナ５０の遠端４９は、アンテナ５０の第１の端部とほぼ向き合う位置において、タッチ画面構成要素５８に取り付けられてもい。図５Ａに示されるように、アンテナ５０は、アンテナ５０の上内角部の気泡ゴム部材５４から出てくる同軸ライン６０を含む。この同軸ラインは、一端がアンテナ５０の角部５７において平らな金属の細長材５２に取り付けられており、他端が荷物データ無線通信部（図示されていない）に取り付けられている。
【００４２】
図５Ｂは、本発明の一面による、図４の荷物データ無線アンテナの底面側から見た透視図である。この底面側から見た透視図は、気泡ゴム部材５９、６１、６２の異なる厚さを示している。具体的には、平らな金属の細長材の第１の端部４８は、金属の細長材５２が気泡ゴム部材５４のほぼ中心に位置するように、図５Ａに示されるように気泡ゴム部材６１の下に延びている。第１の端部４８は、気泡ゴムと第１の端部がタッチ画面構成要素に支持されることができるように、気泡ゴム部材の部分６１の穴と同じ穴を含む。図５Ａに示されるように、気泡ゴム部材の部分６２は、気泡ゴム部材５４の表面に貼り付けられた金属の細長材５６が気泡ゴム部材の部分６１と６２の厚さによって平らな金属の細長材から離間させられるように、気泡ゴム部材の部分６１の上に置かれている。
【００４３】
次にデータ取込み装置の残りの構成要素について、図６を参照しながら、データ取込み装置の画面と、サインを受け、表示し、反転するための画面の機能に特に重点をおきつつ説明する。この分野の専門家によって理解されるように、データ取込み装置はソフトウェアとハードウェアを組み合せることが好ましいが、完全にハードウェアによる実現の形をとることもできる。さらに、記憶媒体中にコンピュータが読むことができるプログラム・コード手段として実現されている、コンピュータが読むことができる記憶媒体上のコンピュータ・プログラムの形をとることもできる。ハード・ディスク、可換ディスク、ＣＤ−ＲＯＭ、光記憶装置、または磁気記憶装置を含む適宜なコンピュータが読むことができる記憶媒体が利用できる。
【００４４】
さらに本発明が、発明の一実施の形態による方法、装置およびコンピュータ・プログラムのブロック線図およびフローチャート図を参照しつつ以下に説明される。ブロック線図やフローチャート図の各ブロック、およびブロック線図やフローチャート図のブロックの組合せは、それぞれ、コンピュータ・プログラム命令によって実現できることは理解されるであろう。これらのコンピュータ・プログラム命令は、汎用コンピュータ、専用コンピュータ、または他のプログラム可能なデータ処理装置上に、コンピュータまたは他のプログラム可能なデータ処理装置上で実行される命令がフローチャートの一つまたは複数のブロックに指定されている機能を実現するための手段を生成するように、ロードすることができる。
【００４５】
コンピュータまたは他のプログラム可能なデータ処理装置に特定のやり方で動作するように指示することができるこれらのコンピュータ・プログラム命令はまた、コンピュータが読むことができるメモリに、コンピュータが読むことができるメモリに記憶された命令がフローチャートの一つまたは複数のブロックに指定されている機能を実現する、命令手段を含む装置を形成するように、記憶させることができる。コンピュータ・プログラム命令はまた、コンピュータまたは他のプログラム可能なデータ処理装置に、そのコンピュータまたは他のプログラム可能な装置上で実行される命令がフローチャートの一つまたは複数のブロックに指定されている機能を実行するためのステップを提供することで１連の動作ステップがそのコンピュータまたは他のプログラム可能な装置上で実行されてコンピュータにより実行される処理を行わせるように、ロードすることができる。
【００４６】
したがって、ブロック線図およびフローチャート図のブロックは、指定されている機能を行うための手段の組合せ、指定されている機能を行うためのステップの組合せ、および指定されている機能を行うためのプログラム命令手段で実現されてよい。ブロック線図およびフローチャート図の各ブロックおよびブロック線図およびフローチャート図の中のブロックの組合せは、指定された機能またはステップを実行する専用のハードウェアを主とするコンピュータ・システム、または専用のハードウェアとコンピュータ命令の組合せによって実現することができる。
【００４７】
図６はデータ取込み装置８０の構成要素のブロック線図を示す。図示されているように、データ取込み装置８０は概して無線通信部８８、プロセッサ８２、記憶装置８５、メモリ８９、アンテナ９０、バス８３、入力および出力装置８８、８７およびバッッテリ８６を含む。メモリ８９には、オペレーティング・システム９６と、タッチ画面制御モジュール９１、通信モジュール９４およびキーパッド制御モジュール９５が入っている。さらに、タッチ画面制御モジュールは、サイン表示モジュール９２と画面反転モジュール９３を含む。メモリ８９内のモジュール９１、９２、９３、９４、９５は、オペレーティング・システム９６およびプロセッサ８２からの助けで動作する、メモリ内に常駐するコンピュータ・ソフトウェアの形で実現できることは、この分野の専門家によって理解されるであろう。プロセッサ８２およびモジュール９１、９２、９３、９４、９５は互いに、またシステム・インタフェイスまたはバス８３を通じてデータ取込み装置８０内の他の構成要素と通信する。
【００４８】
記憶装置８５は、ハード・ディスク、可換磁気ディスクまたはＣＤ−ＲＯＭディスクのような、いろいろなコンピュータが読むことができる媒体に情報を記憶させるための、ハード・ディスク・ドライブ、フロッピー・ディスク・ドライブ、ＣＤ−ＲＯＭドライブまたは光ディスク・ドライブのような、少なくとも一つの記憶装置を表す。この分野の専門家により理解されるであろうように、この少なくとも一つの記憶装置８５は、適当なインタフェイスによってシステム・バス８３に接続されている。記憶装置８５とそれらのコンピュータが読むことができる媒体は、データ取込み装置８０のために不揮発性の記憶手段を提供する。このコンピュータが読むことができる媒体は、この分野で知られているどれかの他のタイプのコンピュータが読むことができる媒体で代替できることに言及することは重要である。そのような媒体には、例えば、磁気カセット、フラッシュ・メモリ・カード、ディジタル・ビデオ・ディスク、およびベルヌイ・カートリッジが含まれる。図に示されているように、記憶装置８５の主な機能は、データ取込み装置８０によって取り込まれた荷物追跡データ９７を記憶することである。荷物追跡データは一般に一つまたはそれ以上の入力装置８８から取り込まれる。
【００４９】
データ取込み装置８０の入力装置８８は、バーコード・スキャナ７５、キーパッド７６、タッチ画面７７および赤外線通信素子７８を含む。これらの素子のうちの少なくとも２つ、タッチ画面７７と赤外線ポート７８は、出力装置８７の機能も果たすことは理解されるべきである。したがって、出力装置８７は、音響モデム７９、タッチ画面７７、および赤外線ポート７８を含む。さらに、入力または出力装置８８、８９には含まれないが、そしてそれらの構成要素は図６のブロック線図に別々に描かれているが、無線通信部８４はアンテナ９０の助けで入出力装置として働く。さらに、図示されていない一つまたは複数の追加の入力／出力要素がデータ取込み装置に含まれてもよいし、通信ポート（図示されていない）を介してデータ取込み装置に付け加えられてもよい。例えば、プリンタ、クレジット・カード・リーダ、またはその種の他のものを、バス８３を通してプロセッサと通信している通信ポートを介して、データ取込み装置８０に付け加えてもよい。
【００５０】
再びメモリ８９の構成要素を参照して、キーパッド制御モジュール９５は、ソフトキーの機能と、キーが押されたときに発生する機能を制御する。例えば、ドライバがキーパッド７６上のバー・コード・キーを押したとき、キーパッド制御モジュール９５はバーコード・スキャナ７５に荷物をスキャンするように命令する。もう一つの説明のための例として、キーパッド制御モジュール９５は、タッチ画面７７に、キーパッド７６により入力された文字を表示するように命令する、また配達員がキーパッド７６上の一つまたは複数のキーを押すことによって商取引を完了させた後にデータ取込み装置に荷物追跡データをその記憶装置に記憶するように命令する。したがって、キーパッド制御モジュールは、ユーザのデータ取込み装置との相互作用を制御する。通信モジュール９４は、無線通信部８４とアンテナ９０、バーコード・スキャナ７５、赤外線通信素子７８、音響モデム７９、およびタッチ画面７７によるデータ取込み装置の装置の他の構成要素および通信ネットワークとの通信を容易にする。したがって、通信モジュールは入力素子８８のどれかおよび無線通信部８４で受信されたメッセージを解釈し、また一つまたは複数の出力装置を使うデータ取込み装置の外部構成要素との通信を容易にする。例えば、データがメインフレーム・データ保管庫に正しく送信されたという受信通知を受け取った後、通信モジュール９４は、プロセッサの助けにより、データ取込み装置がその荷物追跡データを再送信しようとしないように、記憶装置８５に、その送信に成功した荷物追跡データにそれがデータ取込み装置によって送信されかつ受信されたという印を付けるように命令する。
【００５１】
タッチ画面制御モジュール９１は、タッチ画面７７を使って入力されるデータの受け入れと表示を制御する。タッチ画面制御モジュールは、スタイラスを使ってタッチ画面上にサインが行われている間にサインの正確な表示を可能にするソフトウェア・アルゴリズムであるサイン表示モジュールを含む。サイン表示モジュール９２の機能は、図９のフローチャートを参照しつつ、以下に詳細に説明される。画面反転モジュール９３は、タッチ画面７７と通信し、タッチ画面の出力を、それが反転されて、データ取込み装置のどちらの端からも容易に見えるように変えるソフトウェア・アルゴリズムである。例えば、配達員がデータ取込み装置を持っているときに荷物配達員の反対側に向き合って立っている人がデータを見ることができるように画面を反転させてもよい。本発明のもう一つの面によれば、タッチ画面７７は、一つの向きの、顧客のサインのような入力を受け入れ、データ取込み装置を持っている荷物の配達員によって見られるようにそのサインを１８０度向きを変えることができる。画面表示反転モジュールのこの機能は、図７Ａおよび７Ｂを参照しながら詳細に説明される。
【００５２】
メモリ・モジュール９１、９２、９３、９４、９５のうちの一つまたはそれ以上のものを組み合せてもよいこと、およびこの明細書に説明されている機能を果たすこの分野の専門家によく知られている追加の構成要素をメモリ８９内に入れてもよいことは、この分野の専門家に理解されるであろう。さらに、メモリ・モジュールの一つまたはそれ以上の機能は、データ取込み装置８０の一つまたはそれ以上の他のメモリ以外の構成要素に含まれてもよい。一つの説明の例として、バーコード・スキャナ７５に対する命令は、通信モジュール９４の代わりに、バーコード・スキャナ７５に置かれてもよい。したがって、図６のブロック線図はデータ取込み装置８０の一実施の形態にすぎないと意図されており、データ取込み装置８０の唯一の実施の形態を表すものとは意図されていない。
【００５３】
図７Ａはタッチ画面・ディスプレイ上に顧客のサイン１０５を受け取った直後の、データ取込み装置１００の上面図を示す。図に示されているように、顧客のサインは、サインが行われている時にスタイラスによりタッチ画面に加えられる圧力によりタッチ画面１０４上に受け取られる。サイン１０５を受け取った後、データ取込み装置は、図７Ｂに示されるように、そのサイン１０６を反転すなわち上下を逆にしてもよい。本発明の一面によれば、顧客のサインを反転させることは、本発明のデータ取込み装置の総合的な設計コンセプトの一部である。しかしながら、データ取込み装置１００は、サイン反転機能無しで実現されてもよい。さらに重要なことは、画面１０４上に表示されているデータの反転を行う画面反転モジュールは、画面１０４上に表示されているすべてのデータを反転させる、すなわちデータ取込み装置１００とは独立に実現されてもよいことは、理解されるべきである。したがって、画面反転モジュール９３は、この機能を持つ装置によって生成されたまたはそれに入力されたデータの表示を反転させるために、手持ち式の装置、サイン取込み装置、および他の類似の装置に組み込むことができる。
【００５４】
図７Ａの説明のための実施の形態を再び参照して、配達停車／荷物情報をすべて入力した後、ドライバはキーパッド１０９のサイン・キー１１０を押してもよい。それによりその停車のために入力された荷物の数を表示する画面が現れる。ドライバが「エンター（Ｅｎｔｅｒ）」キーのような一つまたはそれ以上のキーを押すことによりこのデータを確認した後、データ取込み装置１００は「サイン（署名）・モード」に入る。サイン・モードでは、データ取込み装置１００は、ドライバがデータ取込み装置１００を持っている間に画面がデータ取込み装置の上端（顧客の向き）から読むことができるように、画面表示１０４を反転する。顧客がその中にサインするためのサイン・ボックスが表示される。本発明の一面によれば、画面１４はまた、顧客がその中にサインすべき場所を示す指示のような、顧客に対する指示も表示する。本発明の別の面によれば、顧客がデータを容易に見ることができるように画面が顧客のほうに向けられているので、画面１４はまた顧客によって確認されることができる追加の荷物データを表示してもよい。
【００５５】
サインを行っている間は、顧客は通常彼らの手を、タッチ画面１０４にすぐ隣接してデータ取込み装置１０３に組み込まれた手置き台１０３に置く。顧客がサインしている間荷物配達員がデータ取込み装置を保持しており、顧客は荷物配達員に向きながら彼らのサインを行うので、図７Ａではサインは上下が逆さまになって現れる。このようにすることで、荷物配達員は、顧客のサインを得るためにデータ取込み装置１００の支配を顧客に渡さなくてもよい。したがって、ドライバは常にデータ取込み装置１００のキーパッド１０９に向かっていることができる。顧客がサインを終えたら、ドライバは、テキストやなされたサインを含む画面が、ドライバが見るために、図７Ｂに示されるように、反転されて元に戻されるように、再びサイン・キー１１０を押してもよい。ドライバは次にキーパッド１０９を使って顧客の名前をテキストで入力してもよい。図７Ｂは、図７Ａと同じ視点からの、データ取込み装置１００の上面図であり、図７Ａに示される顧客のサインの上下反転された表示を含む。前述されたように、データ取込み装置１００内の画面反転モジュール９３は、ディジタル的に再生されるサインがサインが行われた後画面上にディジタル的に再生されたサインに対して上下が逆さになるように、画面１０５の上下方向の反転を行う。
【００５６】
画面反転モジュール９３は簡単なグラフィックス反転アルゴリズムを使う。図８は、本発明の一面にしたがい、データ取込み装置の画面がこのグラフィックス反転アルゴリズムを使って上下逆さにされるプロセスを示すフローチャートである。タッチ画面１０４は、タッチ画面に関係づけられたそしてメモリ８９内の表示バッファ内に記憶された一連の画素であるので、サイン反転アルゴリズムは、表示バッファ内の左上の画素を取り上げ、それを反転バッファの右下の位置に移動させることにより、画面に表示されるデータの反転を実行する（ブロック１１２）。反転バッファもまたメモリ８９、より詳しくは画面反転モジュール９３内に維持されてもよい。反転バッファの目的は、移動させられるタッチ画面の画素を、表示バッファ内に格納されている画素により表示されている画面から１８０度の方向に向きづけられた画面の生成に対応させて格納することである。反転バッファは画面反転モジュール９３内に含められることが好ましいが、その代わりにタッチ画面７７にまたは記憶装置８５内に置かれてもよい。
【００５７】
画面反転モジュール９３は、タッチ画面１０４を左から右、上から下に進み、画素をディスプレイ・バッファから反転バッファに右から左、下から上の方向にコピーする。したがって、画面がＬ×Ｈの画素−ここにＬは画面の長さ方向の画素数を表し、Ｈは画面の高さ方向の画素数を表す−から構成される場合には、画面内の上左端を表す画面位置Ｌ１、Ｈ１ に表示されるディスプレイ・バッファ内の画素は、位置ＬＬ、ＨＬ の画素、すなわち画面内の下右端の画素として反転バッファに置かれる。例として、画面位置Ｌ５、Ｈ８に表示されるディスプレイ・バッファ内の画素は、画面位置ＬＬ−５、ＨＨ−８ の画素として反転バッファに置かれる。したがって、画面１０４の中心の水平線を構成する画素は、水平方向に反転されるにもかかわらず、画面の中心に在り続ける、そして画面１０４の中心の垂直線を構成する画素は、垂直方向に反転されるにもかかわらず、画面の中心に在り続ける。この方法によるディスプレイ・バッファから反転バッファへの画素のコピーが完了すると、反転バッファの内容が表示される（ブロック１１８）。画面を再度上下逆さにするために図８に説明されている処理の逆の処理が使用できることも理解されるであろう。
【００５８】
図９は、サイン表示モジュール９２によって実行される本発明のサイン画像化アルゴリズムを説明する流れ図である。サイン画像化アルゴリズムの目的は、サインが行われている間に画面１０４上に顧客のサインのディジタル表現を表示することである。ここに説明されている本発明のサイン画像化アルゴリズムはサインが行われている間にサインを表示することを言っているが、このアルゴリズムはスタイラスがタッチ画面１０４に押しつけられている間にスタイラスから受け取るどんな入力でも表示することに使用できることは理解されるべきである。
【００５９】
図９を参照して、ユーザがスタイラスで画面上に書き始めたとき、ステップ１２０において「ペンが降ろされた」状態が検出される。ステップ１３０において調べられるように、スタイラスがまだ降ろされているときは、ステップ１４０において、タッチ画面制御モジュール９１またはタッチ画面７７内の従来のディジタイザ回路が接触点の（ｘ，ｙ）座標を取得する。スタイラスの点位置は、スタイラスがＬＣＤタッチ画面に押しつけられているときにスタイラスからＬＣＤタッチ画面への圧力の印加によって決定される。ステップ１５０において、ＬＣＤ画面上に何か表示される前に１０点のキュー（待ち行列）がスライディング・キューとして記憶される。１０点のキューが好ましいが、ディジタル的に生成された一つの点がＬＣＤタッチ画面上に表示される前に満足されなければならない平均の閾値として任意の点の数が使用できることは、理解されるであろう。キュー中の点の数が１０になった後、ステップ１６０において、キューに入れられた座標の平均が計算される。ステップ１７０において調べられるように、取得された次の点がその平均から予め決められた許容範囲内にあるときは、ステップ１８０において、その点がディジタイザ座標からＬＣＤ座標に変換される。ディジタイザ座標からＬＣＤ座標への変換のための式は、丸めの誤差の影響を抑えるために、分子に対する乗数を使う。
【００６０】
式は次のとおりである：
2004503454.tif 000003
【００６１】
ディジタイザおよびＬＣＤの表示範囲は個々の装置によって決まり、例えば、ディジタイザの表示範囲は０〜１０２４、およびＬＣＤの表示範囲は０〜３３０画素である。この変換は、ディジタイザの表示範囲とＬＣＤの表示範囲が同じである場合には必要でないが、そうでない場合にはタッチ画面上のスタイラスの動きを示すディジタル画像を生成するために好ましい。この変換の後、ステップ１９０においてその点がＬＣＤ上に表示される。スライデング・キーはその後ステップ２００においてキュー中の最初に取得された点が除去されることにより前に進められ、処理はステップ１３０に戻る。ペンがまだ降ろされているときは、一つの新しい点が取得されてキューに付け加えられ、前述のステップが繰り返される。
【００６２】
しかしながら、ステップ１７０において、その点が平均に対して十分に近くないときは、その点は表示されない。キューを進めそして次の点を調べるために、処理は次にステップ２００に続く。この処理は、サインの低品質の画像またはスタイラスの書跡の再生の低い正確さの原因になる偽電圧を発生させる可能性のある、サイン者によって加えられる圧力の変動の問題を解決する。したがって、人がスタイラスを上げたとき、多くの従来のサイン取込み装置において起こったように、その圧力の解除が描かれた線として誤解されないであろう。
【００６３】
上記の説明と付属の図面において提示された教示のおかげで、この発明が関係する分野の専門家には、本発明の多数の変形や他の実施の形態が思い浮かぶであろう。したがって、本発明は開示された実施の形態に限定されないこと、および変形や他の実施の形態は添付の請求範囲に含まれるように意図されていることは理解されるべきである。この明細書には具体的な語が用いられているが、それらは一般的そして説明的な意味でのみそして限定の目的のためではなく使用されている。
【図面の簡単な説明】
以上のように本発明を一般的な語を使って説明したので、次は添付の図面に対する参照がなされるであろう。図は必ずしも正確な縮尺で描かれていない。
【図１】
図１は本発明のシステムのブロック線図であり、本発明の一面にしたがって、データ取込み装置がメインフレームのデータ保管部と通信する方法を示す。
【図２】
図２は本発明の別のシステムのブロック線図であり、本発明の一面にしたがって、データ取込み装置からのデータの基地局へのダウンロードを説明する。
【図３】
図３は本発明の一実施の形態による、本発明のデータ取込み装置の斜視図を示す。
【図４】
図４は本発明の一実施の形態による、本発明のデータ取込み装置の上面図を示し、データ取込み装置の上部にあるパケット・データ無線ネットワーク・アンテナを示す切欠き図を含む。
【図５Ａ】
図５Ａは、本発明の一つの面による、図４のパケット・データ無線ネットワーク・アンテナの底面側から見た透視図である。
【図５Ｂ】
図５Ｂは、本発明の一つの面による、図４のパケット・データ無線ネットワーク・アンテナの下端側から見た透視図である。
【図６】
図６は、本発明の一実施の形態による、データ取込み装置の構成構成要素のブロック線図であり、サイン書込み構成要素およびサイン表示構成要素を含む。
【図７Ａ】
図７Ａは、本発明の一実施の形態によるデータ取込み装置の、顧客のサインをもらった直後の上面図を示す。
【図７Ｂ】
図７Ｂは、本発明の一実施の形態によるデータ取込み装置の、図７Ａに示されている顧客のサインの反転されたサインを含む。
【図８】
図８は、本発明の一面に従い、顧客に見せるためにデータ取込み装置の画面表示を反転させるプロセスを説明するフローチャートを示す。
【図９】
図９は、本発明の一実施の形態による、サインをデータ取込み装置の画面に表示するプロセスを説明するフローチャートを示す。
【図１】
2004503454.tif 000004
【図２】
2004503454.tif 000005
【図６】
2004503454.tif 000006
【図８】
2004503454.tif 000007
【図９】
2004503454.tif 000008
【国際公開パンフレット】
2004503454.tif 000009
2004503454.tif 000010
2004503454.tif 000011
2004503454.tif 000012
2004503454.tif 000013
2004503454.tif 000014
2004503454.tif 000015
2004503454.tif 000016
2004503454.tif 000017
2004503454.tif 000018
2004503454.tif 000019
2004503454.tif 000020
2004503454.tif 000021
2004503454.tif 000022
2004503454.tif 000023
2004503454.tif 000024
2004503454.tif 000025
2004503454.tif 000026
2004503454.tif 000027
2004503454.tif 000028
2004503454.tif 000029
2004503454.tif 000030
2004503454.tif 000031
2004503454.tif 000032
2004503454.tif 000033
2004503454.tif 000034
2004503454.tif 000035
2004503454.tif 000036
2004503454.tif 000037
2004503454.tif 000038
2004503454.tif 000039
2004503454.tif 000040
2004503454.tif 000041
2004503454.tif 000042
2004503454.tif 000043
2004503454.tif 000044
2004503454.tif 000045
2004503454.tif 000046
2004503454.tif 000047
2004503454.tif 000048
2004503454.tif 000049
2004503454.tif 000050
2004503454.tif 000051
2004503454.tif 000052
2004503454.tif 000053
2004503454.tif 000054
2004503454.tif 000055
2004503454.tif 000056
2004503454.tif 000057
【国際公開パンフレット（コレクトバージョン）】
2004503454.tif 000058
2004503454.tif 000059
【国際調査報告】
2004503454.tif 000060
2004503454.tif 000061
2004503454.tif 000062
2004503454.tif 000063
2004503454.tif 000064
2004503454.tif 000065